(57)【要約】      （修正有）【課題】従来型の電気洗濯機のみならず、最新のドラム式あるいは節水タイプの洗濯機において、水量が少なくても回転方向が一定でなくても、糸くず等洗濯ゴミを効果的に分離回収する洗濯糸くずキャッチを提供する。【解決手段】直径の大きなリングの弾性とリングに連結された複数の小型の糸くず取りネットそれぞれの動きにより、糸くず取りネットが水流や洗濯物の動きに細かく同調して糸くず等洗濯ゴミを効率よくキャッチすることに役立つ。【選択図】図２
0003153271.tif 000002
【実用新案登録請求の範囲】
【請求項１】
電気洗濯機使用時に発生する糸くず等洗濯ゴミを、洗濯中に効果的にキャッチすることを特徴とした直径の大きなリングと複数の小型の糸くず取りネットを組み合わせた洗濯糸くず回収器具
【考案の詳細な説明】
【技術分野】
【０００１】    本考案は、電気洗濯機使用時に発生する糸くず等洗濯ゴミを、洗濯中に効果的にキャッチすることができる洗濯糸くず回収器具に関するものである。
【背景技術】
【０００２】    従来、洗濯中に発生する糸くず等洗濯ゴミを回収するには、洗濯機自体に回収機構を設けたり、後付けの補助器具を洗濯槽に取り付け、あるいは水面に浮かべるなどしていた。
【先行技術文献】
【０００３】
【特許文献１】
【非特許文献１】
【考案の概要】
【考案が解決しようとする課題】
【０００４】    従来型電気洗濯機の場合は、渦状の水流の中で洗濯物の汚れを水流中に洗い出していたため、洗濯にともなって発生する糸くずや小さなゴミなどを分離回収するためには、洗濯機自体にフィルター機構を設け水流をその部分に誘導したり、また同じく後付けの補助器具を洗濯槽の水流の要所にとりつけ、あるいは浮かべるなどして比較的容易に糸くず等を分離回収することができた。しかしながら、昨今は環境問題に対する意識の高まりから省エネ・節水を重視したドラムタイプや節水タイプの洗濯機が主流になりつつある。これら最新型の洗濯機における特徴の第一は、従来タイプの洗濯機と比較して使用する水の量が極端に少ないこと、その少ない水で効率的に洗浄できるようメーカーによって呼称は違うが例えば「循環洗浄」「シャワー洗浄」などとして水の流れを別系統に誘導することで少ない水でも十分な洗浄効果を得ようする機構になっているものがある。第二には、同じく「ダンシング洗浄」「たたき洗い」などとして、従来の水流を制御する考えとは異なり、コンピュータ制御によって洗濯槽の回転速度・回転力・回転方向などを変化させて、水ではなく洗濯物の側を動かして洗浄しようとする発想の製品が多数発売されるに至った。これら新しい発想に基づく洗濯機においては、従来の糸くず回収機構や器具では十分にフィルターとして機能せず、結果従来に比較して糸くず等が付着したまま洗濯乾燥が終了するという事例が少なからず発生している。【０００５】    本考案は、水量が少なくても、またドラムや洗濯槽の回転が一定でなかったり逆転したりしても効果的に糸くず等を回収できる器具を考案し、前述の欠点を解決しようとするものである。
【課題を解決するための手段】
【０００６】    本考案は、合成樹脂製あるいは合成ゴム製の直径の大きなリングと複数の小型の糸くず取りネットを組み合わせた洗濯糸くず回収器具である。【０００７】    リングの大きさは、一般的な家庭用洗濯機のドラムまたは洗濯槽に本考案の器具全体がすっぽり入るような直径として２０〜３０センチメートル程度とする。
リングの形状は、一定の幅・厚みをもった円盤状、あるいは断面が円形又は楕円形の中空又は非中空のチューブ形状とする。
リングの素材は、洗濯から衣類乾燥まで一連動作する全自動洗濯機での使用を考慮し、必要な耐熱性を有する材質とする。また、洗濯中にリングがドラムまたは洗濯槽の表面に当たっても過度の打撃音が発生せず、洗濯槽を傷つけず、勿論リング自体が破損しない程度の弾性をもつ素材とする。例えば、シリコーン樹脂、シリコーンゴム等が考えられる。
リングの成形に当たっては、洗濯状態によってリングそれ自体が捻れても元のリングの形状に復元する程度の弾性強度を持つような断面・断面積・形状・材質とする。【０００８】    糸くず取りネットは、リング周辺に等間隔の位置に取り付ける形、あるいはリング上を遊動できる形でリングと連結する。
糸くず取りネットは、リングの弾性及びネット自体の動きにより水流や洗濯物の動きに細かく同調して動作する大きさとして、直径約５センチメートル程度の入口枠部分を持った長さ５〜１０センチメートル程度の袋状ネットとする。
糸くず取りネットは、各部が必要な耐熱性をもった素材を使用し、ネット部分は目の細かいメッシュ状とする。
糸くず取りネットは、リング上を遊動できる形で連結する場合は、取付個数の増設が容易にできる構造とする。
【考案の効果】
【０００９】    本考案は、電気洗濯機による洗濯時において、水量が少なくても、また水流や洗濯物が変幻自在の動きをしても、あるいは従来型洗濯機か最新のドラム式または節水タイプかに係わらず、ドラムや洗濯槽に洗濯物と一緒に入れて洗濯するだけで、糸くず等の効果的な分離回収を実現して前述の問題点を解決している。
【図面の簡単な説明】
【００１０】
【図１】  本考案の洗濯糸くず回収器具の一例として、糸くず取りネットをリング周囲に等間隔に取り付けた場合の外観図
【図２】  本考案の洗濯糸くず回収器具の一例として、糸くず取りネットをリング上を遊動できる形で連結した場合の外観図
【考案を実施するための形態】
【００１１】    本考案は、合成樹脂製あるいは合成ゴム製の直径の大きなリングと複数の小型の糸くず取りネットを組み合わせた洗濯糸くず回収器具であり、使用する際は電気洗濯機に入れた洗濯物の上に本器具を置いて、通常どおりの洗濯を実施して使用するものである。
【００１２】    従来型洗濯機においては、渦流の中で本器具全体が回転しながら周囲に配置された複数の糸くず取りネットが糸くず等をキャッチする。
【００１３】    ドラムタイプや節水タイプの洗濯機においては、本器具周囲に配置された複数の糸くず取りネットがリング自体の弾性及びネット自体の動きにより水流や洗濯物の動きに細かく同調して動作し、糸くず等をキャッチする。
【００１４】    〔０００８〕において、複数の糸くず取りネットをリング上を遊動できる形で連結した場合は、ドラムまたは洗濯槽の回転により本器具のリングも回転し、その遠心力により糸くず取りネットがリングの周囲に自動的に移動して動作する。必要に応じネットの数を増設すれば、糸くず取り効果はより有効となる。
【符号の説明】
【００１５】  １  糸くず取りネット
２  円盤状リング
３  遊動式糸くず取りネット
４  チューブ状リング
【図１】
0003153271.tif 000003
【図２】
0003153271.tif 000004
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製あるいは合成ゴム製の直径の大きなリングと複数の小型の糸くず取りネットを組み合わせたところを特徴とし、洗濯槽に洗濯物と一緒に入れて使用する電気洗濯機用洗濯糸くず回収器具
【手続補正書】
【提出日】平成21年6月9日(2009.6.9)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製あるいは合成ゴム製の直径の大きなリングと、前記リング上に連結された複数の小型の糸くず取りネットを組み合わせたところを特徴とし、洗濯槽に洗濯物と一緒に入れて使用する電気洗濯機用洗濯糸くず回収器具